(57)【要約】【課題】  所定の操作部材に割り当てられている機能が操作可能であること、更には所定の操作部材を使用する前に現在の設定状態をユーザが認識可能とする。【解決手段】  複数回の設定操作を必要とする機能を所定の操作部材に割り当て、その操作部材により機能の実行を直接指示可能とし、その操作部材に割り当てられた機能が実行可能な状態か否かを判定し、その機能が実行可能な状態と判定された場合に、その機能に関する設定状態を表示部に表示させる。【選択図】      図５
2005223616.tif 000002
【特許請求の範囲】
【請求項１】
複数回の設定操作を必要とする機能を所定の操作部材に割り当て、前記所定の操作部材により前記機能の実行を直接指示可能な撮像装置であって、
前記所定の操作部材に割り当てられた機能が実行可能な状態か否かを判定する判定手段と、
前記機能が実行可能な状態と判定された場合に、該機能に関する複数の設定状態を表示部に表示させる表示手段とを有することを特徴とする撮像装置。
【請求項２】
前記表示手段は、前記機能に関する現在の設定状態を表示部に簡易的に表示させることを特徴とする請求項１に記載の撮像装置。
【請求項３】
前記表示手段は、前記設定状態が変更された場合、変更された設定状態を表示部に表示させることを特徴とする請求項２に記載の撮像装置。
【請求項４】
前記表示手段は、前記機能が実行可能な状態と判定された場合に、前記所定の操作部材を発光させる手段を含むことを特徴とする請求項１に記載の撮像装置。
【請求項５】
複数の機能のうちから、ユーザに所望の機能を選択させ、選択された機能を所定の操作部材に割り当てる手段を更に有することを特徴とする請求項１に記載の撮像装置。
【請求項６】
前記所定の操作部材に割り当てられた機能は、前記撮像装置に直接接続されたプリンタでプリントするプリント機能であることを特徴とする請求項５に記載の撮像装置。
【請求項７】
前記所定の操作部材に割り当てられた機能は、前記撮像装置で撮像された画像データを情報処理装置へ転送する転送機能であることを特徴とする請求項５に記載の撮像装置。
【請求項８】
複数回の設定操作を必要とする機能を所定の操作部材に割り当て、前記所定の操作部材により前記機能の実行を直接指示可能な撮像装置の表示方法であって、
前記所定の操作部材に割り当てられた機能が実行可能な状態か否かを判定する工程と、
前記機能が実行可能な状態と判定された場合に、該機能に関する複数の設定状態を表示部に表示させる工程とを有することを特徴とする撮像装置の表示方法。
【請求項９】
コンピュータに、請求項８に記載された撮像装置の表示方法の各手順を実行させるためのプログラム。
【請求項１０】
請求項９に記載されたプログラムを記録したコンピュータ読み取り可能な記録媒体。
【発明の詳細な説明】
【技術分野】
【０００１】
本発明は、複数回の設定操作を必要とする機能を所定の操作部材に割り当て、前記所定の操作部材により前記機能の実行を直接指示可能な撮像装置及びその表示方法に関する。
【背景技術】
【０００２】
近年、撮像装置の高機能化が進み、撮像装置の機能を実行する際に、様々な条件を設定することが可能或いは必要であり、その複雑化する操作を簡略化する一つの手段として、操作部材のカスタマイズ機能やショートカット機能が提案されている（例えば、特許文献１、特許文献２参照）。
【特許文献１】特開平１１−９５８９６号公報
【特許文献２】特開平１０−２０６９２７号公報
【発明の開示】
【発明が解決しようとする課題】
【０００３】
しかしながら、操作部材のカスタマイズやショートカットにおいては、操作手順が飛躍的に少なくなる反面、該操作の実行に当たり現在の設定をユーザ自らが覚えておく必要があり、その記憶が不確かな場合、操作を実行してみて初めてその操作の設定がどのようになされていたかを知る場合もあった。
【０００４】
本発明は、上記課題を解決するためになされたものであり、所定の操作部材に割り当てられている機能が操作可能であること、更には所定の操作部材を使用する前に現在の設定状態をユーザが認識可能とすることを目的とする。
【課題を解決するための手段】
【０００５】
本発明は、複数回の設定操作を必要とする機能を所定の操作部材に割り当て、前記所定の操作部材により前記機能の実行を直接指示可能な撮像装置であって、前記所定の操作部材に割り当てられた機能が実行可能な状態か否かを判定する判定手段と、前記機能が実行可能な状態と判定された場合に、該機能に関する複数の設定状態を表示部に表示させる表示手段とを有することを特徴とする。
【０００６】
また、本発明は、複数回の設定操作を必要とする機能を所定の操作部材に割り当て、前記所定の操作部材により前記機能の実行を直接指示可能な撮像装置の表示方法であって、前記所定の操作部材に割り当てられた機能が実行可能な状態か否かを判定する工程と、前記機能が実行可能な状態と判定された場合に、該機能に関する複数の設定状態を表示部に表示させる工程とを有することを特徴とする。
【発明の効果】
【０００７】
本発明によれば、所定の操作部材に割り当てられている機能が実行可能な状態に遷移した場合、ユーザはその機能が実行可能となったこと、更にはその機能の現在の設定状態を知ることができる。
【発明を実施するための最良の形態】
【０００８】
以下、図面を参照しながら発明を実施するための最良の形態について詳細に説明する。本実施形態では、撮像装置として、記録媒体（例えば、ＥＥＰＲＯＭやハードディスク等の記録媒体）に電子的に画像を記録する電子カメラ（例えば、デジタルムービーカメラ、デジタルスチルカメラ、或いは、それらの複合機などのデジタルカメラ）を例に説明するが、本発明はこれに限らず、例えば、フィルムに光学的に画像を記録する銀塩カメラや、撮像機能を有する情報処理装置（例えば、パーソナルコンピュータ）、或いは撮像機能を有する携帯端末（例えば、携帯電話機）に適用することも可能である。
【０００９】
図１は、本実施形態における電子カメラの構成の一例を示す図である。図１に示すように、電子カメラ１００は、光学系（撮像用レンズ）１０を介して被写体像を撮影するように構成されている。光学系１０は、ズームレンズ（撮影画角を変更可能なレンズ）として構成されている。これにより、光学的なズーム機能（いわゆる光学ズーム）が提供されている。電子カメラ１００は、更に、撮像素子１４によって撮像される画像を電子的に切り取る（トリミング）ことによる電子的なズーム機能（いわゆる電子ズーム）を有するように構成されている。
【００１０】
尚、電子カメラ１００は、光学ズーム及び電子ズームの何れか一方の機能のみを有するように構成しても良いことは言うまでもない。
【００１１】
また、光学系１０は、交換可能であっても良く、その場合、電子カメラ１００の本体側から光学系１０に対して電気信号を送ることにより、光学系１０内の駆動機構が変倍用のレンズを駆動してズーム機能を提供しても良く、又は電子カメラ１００の本体側に光学系１０内の変倍用のレンズを機械的に駆動する駆動機構を設けても良い。
【００１２】
光学系（撮影レンズ）１０を通る被写体からの光線（光学的な画角内から入射する光線）が絞り機能を備えるシャッター１２の開口を通して撮像素子（例えば、ＣＣＤセンサ、ＣＭＯＳセンサ）１４の撮像面に被写体の光学像を形成する。そして、撮像素子１４は、その光学像を電気的なアナログ画像信号に変換してＡ／Ｄ変換器１６へ出力する。Ａ／Ｄ変換器１６は、撮像素子１４から提供されるアナログ画像信号をデジタル画像信号に変換する。上述した撮像素子１４及びＡ／Ｄ変換器１６は、タイミング発生回路１８から提供されるクロック信号や制御信号によって制御される。また、タイミング発生回路１８は、メモリ制御回路２２及びシステム制御回路５０によって制御される。
【００１３】
画像処理回路２０は、Ａ／Ｄ変換器１６から提供される画像データ（デジタル画像信号）又はメモリ制御回路２２から提供される画像データに対して画素補間処理や色変換処理等の画像処理を行う。また、画像処理回路２０は、撮像素子１４で撮像された画像データに基づいて、ＴＴＬ（スルー・ザ・レンズ）方式のＡＦ（オートフォーカス）処理、ＡＥ（自動露出）処理、及びＥＦ（フラッシュプリ発光による自動調光）処理のためのデータを演算し、その演算結果をシステム制御回路５０に提供する。システム制御回路５０は、その演算結果に基づいて露光制御部４０、測距制御部（ＡＦ制御部）４２を制御し、自動露出やオートフォーカス機能を実現している。更に、画像処理回路２０は、撮像素子１４で撮像された画像データに基づいてＴＴＬ方式のＡＷＢ（オートホワイトバランス）処理も実行する。
【００１４】
上述のメモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１５】
Ａ／Ｄ変換器１６から出力される画像データは、画像処理回路２０及びメモリ制御回路２２を介して、又は画像処理回路２０を介することなくメモリ制御回路２２を介して画像表示メモリ２４或いはメモリ３０に書き込まれる。
【００１６】
画像表示メモリ２４に書き込まれた表示用の画像データは、Ｄ／Ａ変換器２６によって表示用のアナログ画像信号に変換されて画像表示部２８に提供され、これにより画像表示部２８に撮像画像が表示される。この画像表示部２８に撮像画像を連続的に表示することにより、電子ファインダー機能が実現される。
【００１７】
尚、画像表示部２８は、システム制御回路５０からの指令により任意に表示のオン又はオフが可能である。また、表示をオフに設定して使用することにより電子カメラ１００の電力消費を大幅に低減することができる。
【００１８】
メモリ３０は、撮影（記録媒体に記録する画像として撮像）した所定枚数の静止画像や動画像を格納するために使用される。メモリ３０の容量やアクセス速度（書き込み速度、読み出し速度）は、任意に決定できるが、複数枚の静止画像を連続して撮影する連射撮影やパノラマ撮影を可能とするためには、それに応じた容量やアクセス速度を与える必要がある。また、メモリ３０は、システム制御回路５０の作業領域としても使用される。
【００１９】
圧縮・伸長回路３２は、例えば適応離散コサイン変換（ＡＤＣＴ）等により画像データを圧縮・伸長する回路であり、まずメモリ３０に格納された画像データを読み込み、圧縮処理或いは伸長処理を行い、その後圧縮或いは伸長処理された画像データをメモリ３０に書き込むように構成されている。
【００２０】
露光制御部４０は、システム制御回路５０から提供される情報に基づいて、絞り機能を備えるシャッター１２を制御する。この露光制御部４０は、フラッシュ（発光装置）４８と連携したフラッシュ調光機能も有する。また、フラッシュ４８は、フラッシュ調光機能及びＡＦ補助光の投光機能を有する。
【００２１】
測距制御部４２は、システム制御回路５０から提供される情報に基づいて光学系１０のフォーカシング用レンズを制御する。また、ズーム制御部４４は光学系１０のズーミングを制御する。また同様に、バリア制御部４６は光学系１０を保護するバリア１０２の動作を制御する。
【００２２】
システム制御回路５０は、電子カメラ１００全体を制御するように構成され、画像表示部２８に表示する撮像条件や電子カメラ１００の状態を示すオブジェクト（表示物）などを描画する描画処理を実行する画像処理部５０ａを含む。また、システム制御回路５０は、システム制御回路５０に接続されているメモリ、音源、表示部、操作部、スイッチなども制御する。
【００２３】
メモリ５２は、上述の画像データを一時的に保持するメモリ３０とは異なり、システム制御回路５０の動作用の定数、変数、プログラム、更には、画像表示部２８に文字やアイコン表示といったキャラクタ表示を行うためのオブジェクトデータ等が記憶されている。このオブジェクトデータは、撮像によって生成される画像データとは異なり、典型的には電子カメラ１００の出荷前にメモリ５２に書き込まれている。また、オブジェクトデータは、電子カメラ１００の出荷後に、電気通信回線を通じてダウンロードされるデータ又は記録媒体に収めてユーザに提供されるデータに基づいてユーザによって書き換えられても良く、サービスセンター等において書き換えられても良い。
【００２４】
表示部（例えば、ＬＣＤ、ＬＥＤ）５４、音源（例えば、スピーカ）５５は、それぞれ１又は複数の素子で構成され、システム制御回路５０におけるプログラムの実行に応じて文字、画像、音声等により電子カメラ１００の動作状態やメッセージ等を出力するように構成され、電子カメラ１００の適所に配置される。尚、この表示部５４を構成する一部の表示素子は、光学ファインダー１０４内に配置されている。
【００２５】
表示部５４に表示される情報のうち、ＬＣＤ等に表示される情報としては、例えばシングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００、２１０の着脱状態表示、通信Ｉ／Ｆ動作表示、日付・時刻表示、等がある。
【００２６】
また、表示部５４に表示される情報のうち、後述する光学ファインダー１０４内に表示される情報としては、例えば合焦表示、手振れ警告表示、フラッシュ充電表示、シャッタースピード表示、絞り値表示、露出補正表示、等がある。
【００２７】
不揮発性メモリ５６は、例えばＥＥＰＲＯＭ等の、電気的に消去、記録が可能なメモリである。この不揮発性メモリ５６に上述したオブジェクトデータを格納するようにしても良い。
【００２８】
モードダイアルスイッチ６０は、電源オフ、自動撮影モード、撮影モード、パノラマ撮影モード、再生モード、マルチ画面再生・消去モード、ＰＣ接続モード等の各機能モードを切り替え設定するスイッチである。
【００２９】
第１シャッタースイッチ（ＳＷ１）６２は、シャッターボタン３１０の操作途中（半押し）でオン状態となり、ＡＦ（オートフォーカス）処理、ＡＥ（自動露出）処理、ＡＷＢ（オートホワイトバランス）処理、ＥＦ（フラッシュプリ発光）処理等の開始をシステム制御回路５０に指示する。第２シャッタースイッチ（ＳＷ２）６４は、シャッターボタン３１０の操作完了（全押し）でオン状態となり、撮像素子１２から画像信号を読み出してＡ／Ｄ変換器１６でデジタル画像データに変換した後、これを画像処理回路２０で処理してメモリ制御回路２２を介してメモリ３０に書き込む処理や、メモリ３０から画像データを読み出して圧縮・伸長回路３２で圧縮し、その圧縮された画像データを記録媒体２００又は２１０に書き込む処理を含む、一連の処理（撮影）の開始をシステム制御回路５０に指示する。
【００３０】
ズーム操作部６５は、撮影画角（ズーム倍率或いは撮影倍率）を変更するために撮影者によって操作される操作部であり、例えばスライド式の操作部材又はレバー式の操作部材とその動作を検知するスイッチ又はセンサとによって構成されている。
【００３１】
画像表示ＯＮ／ＯＦＦスイッチ６６は、画像表示部２８のオン又はオフを設定することができる。この機能により、光学ファインダー１０４を用いて撮影を行う際に、画像表示部２８への電流供給を遮断することにより、省電力を図ることが可能となる。
【００３２】
クイックレビューＯＮ／ＯＦＦスイッチ６８は、撮影直後に撮影した画像データを自動再生するクイックレビュー機能を設定する。
【００３３】
操作部７０は、後述するショートカット操作部材を含む各種ボタン又はスイッチ３０１〜３１１（図２参照）で構成され、電源のオン或いはオフ、撮影条件の設定、変更或いは確認、電子カメラ１００の状態の確認、撮影済みの画像の確認、等を行う際に操作される。尚、これらのボタン又はスイッチ３０１〜３１１の詳細については、図２を用いて更に後述する。
【００３４】
電源制御部８０は、例えば電源検出回路、ＤＣ−ＤＣコンバータ、通電するブロックを切り替えるスイッチ回路等を含み、電源の有無、電源の種類、電池残量の検出を行い、その検出結果とシステム制御回路５０からの指令に従ってＤＣ−ＤＣコンバータを制御し、必要な電圧を必要な期間に各ブロックに供給する。電子カメラ１００の本体、電源８６は、それぞれコネクタ８２、８４によって接続される。電源８６は、例えばアルカリ電池やリチウム電池等の一次電池、ＮｉＣｄ電池、ＮｉＭＨ電池、又はＬｉ電池等の二次電池、或いはＡＣアダプター等である。
【００３５】
記録媒体２００、２１０は、コネクタ２０６、２１６によって電子カメラ１００の本体のコネクタ９２、９６に接続される。そして、記録媒体２００、２１０は、例えば半導体メモリ又はハードディスク等の記録部２０２、２１２とインターフェース２０４、２１４とを含み、電子カメラ１００の本体側のインターフェース９０、９４を介して電子カメラ１００内のバスに接続される。
【００３６】
記録媒体着脱検知部９８は、上述したコネクタ９２、９６に記録媒体２００、２１０が接続されているか否かを検知するものである。
【００３７】
尚、この例では、記録媒体を取り付けるインターフェース及びコネクタを２系統有するものとして説明したが、これらは１系統でも良く、３系統以上でも良い。また、複数系統のインターフェース及びコネクタを備える場合、それらは互いに異なる仕様を有していても良い。
【００３８】
更に、上述のインターフェース及びコネクタとして、例えばＰＣＭＣＩＡカードやＣＦ（コンパクトフラッシュ（登録商標））カード等の規格に準拠したものを採用可能である。その場合、ＬＡＮカード、モデムカード、ＵＳＢカード、IEEE1394カード、P1284カード、ＳＣＳＩカード、ＰＨＳ等の各種通信カードを接続することにより、他のコンピュータやプリンタ等の周辺機器との間で画像データや画像データに付属した管理情報を相互に転送することができる。
【００３９】
通信回路１１０は、ＵＳＢ、IEEE1394、P1284、ＳＣＳＩ、モデム、ＬＡＮ、ＲＳ２３２Ｃ、無線通信等の各種通信機能を提供する。通信回路１１０には、電子カメラ１００を他の機器と接続するためのコネクタ１１２、又は無線通信機能を提供する際にはアンテナが接続される。
【００４０】
光学ファインダー１０４は、画像表示部２８による電子ファインダー機能を使用することなく撮影を可能とするものであり、光学ファインダー１０４内には、表示部５４の一部を構成する表示素子、例えば合焦表示、手振れ警告表示、フラッシュ充電表示、シャッタースピード表示、絞り値表示、露出補正表示を行うための表示素子が配置される。
【００４１】
次に、本実施形態における電子カメラ１００の操作部の詳細な構成及びショートカットについて説明する。
【００４２】
図２は、本実施形態における電子カメラの表示部及び操作部の一例を示す外観斜視図である。尚、図２に示す例では、本発明の特徴的な構成部分のみ示しており、その他の構成部分については省略している。
【００４３】
まず、電子カメラ１００では、煩雑な設定手続きを必要とする所定の機能に対し、その設定手続きを行うことなく、ショートカット操作部材３０１により現在の設定のまま直接その機能を実行可能であり、本実施形態では、その際、画像表示部２８にその機能の現在の設定状態を簡易表示させるものである。
【００４４】
また、ショートカット操作部材３０１に設定された機能が実行可能である旨を示すために、その内部にＬＥＤ等の発光部材が設置されているものとする。また、発光部材の構成は、ショートカット操作部材３０１の内部に設置するだけに限らず、別な場所から導光板を用いて行っても良い。更に、発光部材はＬＥＤに限るものでもない。
【００４５】
尚、ショートカット操作部材３０１は、図２に示す例では、独立して存在しているが、他の操作部材との兼用でも良く、その場合、兼用の操作部材に割り当てられている機能が実行可能であれば、その兼用の操作部材により機能を実行できることを示すガイド表示等を画像表示部２８に対して行い、ユーザに知らせるように構成しても良い。更に、本実施形態のショートカット操作部材と同様に、兼用の操作部材に発光部材を設けても良い。
【００４６】
電源ボタン３１１は、電子カメラ１００を起動又は停止させるため、或いは電子カメラ１００の主電源をＯＮ／ＯＦＦするためのボタンである。
【００４７】
メニューボタン３０２は、各種撮像条件の設定、或いは電子カメラ１００の状態の表示を行うメニュー（メニューは選択可能な値や変更可能な複数の項目を含んでいる）を表示するためのボタンである。ここで、設定が可能なモードや項目には、例えば撮影モード（例えば露出の決定に関しては、プログラムモード、絞り優先モード、シャッタースピード優先モード等を含む）、パノラマ撮影モード、再生モード、マルチ画面再生・消去モード、ＰＣ（パーソナルコンピュータ等のコンピュータ）接続モード、露出補正、フラッシュ設定、単写／連写の切り替え、セルフタイマー設定、記録画質設定、日時設定、記録された画像のプロテクト等が含まれる。
【００４８】
例えば、メニューボタン３０２が押下されると、システム制御回路５０は、画像表示部２８にメニューを表示させる。このメニューは、撮像中の画像の上に合成して表示しても良く、或いは単独で表示（例えば、所定の背景色の上に表示）しても良い。このメニューが表示されている状態で、再度メニューボタン３０２が押下されると、システム制御回路５０は画像表示部２８に対するメニューの表示を終了する。
【００４９】
決定ボタン３０３は、モード或いは項目を決定又は選択する際に押下される。ここで、決定ボタン３０３が押下されると、システム制御回路５０は選択されているモード或いは項目を設定する。表示ボタン３０４は、撮像した画像について撮影情報の表示・非表示を選択するため、或いは画像表示部２８を電子ファインダーとして機能させるか否かを切り替えるためなどに使用される。
【００５０】
左ボタン３０５、右ボタン３０６、上ボタン３０７、下ボタン３０８は、カーソル又はハイライト部等のような複数の選択肢の中で選択されている選択肢（例えば、項目、画像）を変更するため、選択されている選択肢を特定する指標の位置を変更するため、或いは数値（例えば、補正値や日時等を示す数値）を増減させるためなどに使用される。
【００５１】
尚、左ボタン３０５、右ボタン３０６、上ボタン３０７、下ボタン３０８によって複数の項目の中から１つの項目を選択する他、２つ以上の項目を選択できるように、ユーザインターフェースが構成されることが好ましい。例えば、システム制御回路５０は、決定ボタン３０３が押下された状態で、左ボタン３０５、右ボタン３０６、上ボタン３０７、下ボタン３０８が操作された場合、その操作によって指定された２以上の項目が選択されたものと認識するように構成されている。
【００５２】
シャッターボタン３１０は、上述したように、例えば半押し状態で、ＡＦ（オートフォーカス）処理、ＡＥ（自動露出）処理、ＡＷＢ（オートホワイトバランス）処理、ＥＦ（フラッシュプリ発光）処理等の開始がシステム制御回路５０に指示され、全押し状態で、撮影がシステム制御回路５０に指示されるように構成されている。
【００５３】
ズーム操作部６５は、上述したように、撮影画角（ズーム倍率或いは撮影倍率）を変更するために撮影者によって操作される。
【００５４】
録画／再生切り替えスイッチ３１２は、録画モードを再生モードに、或いは再生モードを録画モードに切り替えるために使用される。尚、上述したような操作形態の代わりに、ダイアルスイッチを採用しても良く、他の操作形態を採用しても良い。
【００５５】
ショートカット操作部材３０１は、上述したように、通常では煩雑な設定手続きを必要とする所定の機能に対し、設定手続きを行うことなく現在の設定のまま直接、その機能を実行するためのものであり、その際、画像表示部２８にその機能の現在の設定状態を簡易表示させるものである。
【００５６】
ここで、ショートカット操作部材３０１を用いて所定の機能を実行する際に、システム制御回路５０によって行われる処理について説明する。尚、本実施形態では、電子カメラ１００と不図示のプリンタとをＵＳＢケーブルで接続し、ピクトブリッジ（登録商標）によるダイレクトプリント（登録商標）を行う「プリント機能」がショートカット操作部材３０１に割り当てられており、そのプリント機能により画像表示部２８に表示されている画像を一画像印刷する際の表示制御処理について説明する。
【００５７】
図３は、本実施形態における表示制御処理を示すフローチャートである。尚、図３に示す処理を制御するプログラムは、例えばメモリ５２又は不揮発性メモリ５６に格納され、システム制御回路５０はこのプログラムに基づいて処理を実行するように構成されている。また、このようなプログラムは、例えば通信ネットワークを通じて、或いは記録媒体に記録されて提供されるプログラムによって書き換えられても良い。
【００５８】
まず、ステップＳ４０１において、所定の操作部材によりピクトブリッジ（登録商標）のモードに切り替えられたときに、システム制御回路５０は現在プリントが可能か否かを判定する。この判定条件としては、ＵＳＢケーブルを介してプリンタが接続されているか、プリンタの電源が入っているか、プリンタの準備ができているか、等の条件を含むものである。ここで、プリントが可能でないと判定した場合はステップＳ４１０へ進み、システム制御回路５０は設定表示及びショートカット操作部材３０１の発光を行うことなく、ステップＳ４０１に戻り、プリント可能になるのを待つ。
【００５９】
また、プリントが可能であると判定した場合はステップＳ４０２へ進み、システム制御回路５０はプリントが可能になったのがシステム起動してから初めてか否かを判定する。ここで、プリント可能になったのが初めての場合はステップＳ４０４へ進み、現在の設定の簡易表示を行う。また、初めてではなかった場合はステップＳ４０３へ進み、プリントを行う諸設定が前回と違うか否かを判定する。ここで、前回の設定と異なる場合はステップＳ４０４へ進み、現在の設定の簡易表示を行い、ステップＳ４０５へ進む。
【００６０】
一方、ステップＳ４０３において、前回の設定と同じであればステップＳ４０５へ進み、ステップＳ４０４での簡易表示と共に、システム制御回路５０はショートカット操作部材３０１が操作可能である旨を示すために、ショートカット操作部材３０１の内部に設置されているＬＥＤ等の発光部材を発光させる。尚、後述する通常設定によって、ユーザにより各種設定が予め行われていない場合には、初期値としてメモリ５２に記憶されている設定を簡易表示する。また、具体的な簡易表示の形態については後述する。
【００６１】
また、ステップＳ４０２及びステップＳ４０３は省略可能であり、ステップＳ４０１において、プリント可能と判定した場合はステップＳ４０４へ進み、設定表示を行うように構成しても良い。
【００６２】
次に、ステップＳ４０６へ進み、プリントに関する各種項目をユーザが設定するか否かを判断する。具体的にはメニューボタン３０２がユーザにより操作されたかによるものである。ここで、通常の項目設定がされないと判断した場合にはステップＳ４０７へ進み、システム制御回路５０はユーザがショートカット操作部材３０１を操作したか否かを判定し、操作されなければ上述のステップＳ４０１に戻る。その後、ステップＳ４０７において、ショートカット操作部材３０１が操作されるまで待っている間に、電子カメラ１００或いはプリンタの状況が変化し、プリント可能な状態ではなくなった場合には、ステップＳ４０１でプリント可能となるまで再度待ち状態となる。
【００６３】
また、ステップＳ４０６において、ユーザにより通常の項目設定が行われる場合には、後述する形態においてプリントに関するユーザによる各種項目の設定をステップＳ４０８で受け付ける。
【００６４】
ステップＳ４０７において、ユーザ操作によりショートカット操作部材３０１が操作された場合、及びステップＳ４０８において、ユーザ操作により各種設定が行われた場合はステップＳ４０９へ進み、システム制御回路５０はステップＳ４０４で表示した現在の設定状態、もしくはユーザにより設定された設定状態に従い、現在の表示画像のプリントを実行する。また、ショートカット操作部材３０１の発光に関しても、プリント実行中の発光／非発光は限定せず、或いは点滅を行っても良い。更に、ショートカット操作によってプリントが実行されたときのみ発光等させるようにしても良い。
【００６５】
次に、プリントが終了するとステップＳ４１０へ進み、ステップＳ４０４での現在設定表示、もしくはステップＳ４０８での設定に応じた設定表示と、ステップＳ４０５でのショートカット操作部材３０１の発光を終了し、ステップＳ４０１に戻る。
【００６６】
図４は、静止画をプリントする際の従来の設定表示画面の一例であり、図３のステップＳ４０８で行われる通常の各種設定の表示画面と同じ図である。この表示画面において、プリント用紙、プリント形式、プリントサイズ、プリント枚数、画角設定、余白の有無、等の各種設定を変更できる。具体的には、図２の上下左右ボタン３０５〜３０８及び決定ボタン３０３を操作することにより、アクティブな項目を選択して、対象となる設定を希望の値に変更していく作業を行う。そして、「Ｐｒｉｎｔ」の項目をアクティブな状態にして決定ボタン３０３を押下するとプリントが実行されることとなる。
【００６７】
図５は、プリント可能な状態における簡易表示画面の一例を示す図である。図５に示すように、プリントに関する主な設定項目が画面に表示され、これにより、ユーザは現在の設定状態を知ることができる。図５に示す例では、画像表示部２８に表示している画像のプリントを示したが、全画像のインデックスプリントや指定画像のプリントなどの場合も同様に表示され、その場合の設定を知ることができるものである。
【００６８】
このように、通常であれば、設定画面に移行した後に、「Ｐｒｉｎｔ」の項目までアクティブな項目を移動し、決定ボタンを押すことによって初めて実行されるプリントの指示が、このような複数回の操作部材の操作を必要とすることなく、ショートカットボタンにより即座にプリントの指示を行うことが可能となる。また同時に、そのときの設定状態が表示画面に表示されるので、予めどのようなプリントが行われるのかを確認でき、意図に反したプリントが行われることも回避できる。
【００６９】
尚、ショートカット操作部材３０１に割り当てる機能は、上述したダイレクトプリント（登録商標）だけに限らず、電子カメラ１００とＰＣ（パーソナルコンピュータ等のコンピュータ）と接続し、ＰＣに撮像した画像を転送する転送機能を割り当てても良い。
【００７０】
このとき、ユーザが頻繁に行う操作で、複数の選択又は決定といったステップを要するような操作を、ユーザの操作開始から終了までをメモリ５２に記憶させておき、この一連の操作を一つのボタンに割り当てることでユーザカスタムのショートカットボタンを電子カメラ１００に持たせるようにしても良い。例えば、ＰＣへ画像を転送するような場合に、所定のフォーマットの画像のみを転送するというショートカットを、画像転送モード時におけるショートカット操作部材３０１に割り当てるといったことが可能となる。
【００７１】
これにより、ユーザは、画像転送モード時にショートカット操作部材３０１を押すだけで、所定のフォーマットに相当する撮影画像のみをＰＣに転送することができ、かつ、ショートカット操作部材３０１を押したときにどのような結果となるのか、予め表示画面にいかなるフォーマットの画像が転送されるのかが表示部に簡易表示されるので、ユーザは確認することができる。
【００７２】
このように、本実施形態によれば、ユーザはショートカット操作部材に割り当てられた機能が有効であるか否か、或いはショートカット操作部材に割り当てられた機能の設定がどうなっているのかを容易に確認することができる。
【００７３】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００７４】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００７５】
この場合、記録媒体から読出されたプログラムコード自体が前述した実施形態の機能を実現することになり、そのプログラムコードを記憶した記録媒体は本発明を構成することになる。
【００７６】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００７７】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００７８】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【図面の簡単な説明】
【００７９】
【図１】本実施形態における電子カメラの構成の一例を示す図である。
【図２】本実施形態における電子カメラの表示部及び操作部の一例を示す外観斜視図である。
【図３】本実施形態における表示制御処理を示すフローチャートである。
【図４】静止画をプリントする際の従来の設定表示画面の一例を示す図である。
【図５】プリント可能な状態における簡易表示画面の一例を示す図である。
【符号の説明】
【００８０】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御部
４２  測距制御部
４４  ズーム制御部
４６  バリア制御部
４８  フラッシュ  
５０  システム制御回路
５２  メモリ
５４  表示部
５５  音源
５６  不揮発性メモリ
６０  モードダイアルスイッチ
６２  シャッタースイッチSW1
６４  シャッタースイッチSW2
６６  画像表示ON/OFFスイッチ
６８  クイックレビューON/OFFスイッチ
７０  操作部
８０  電源制御部
８２  コネクタ
８４  コネクタ
８６  電源
９０  インターフェース
９２  コネクタ
９４  インターフェース
９６  コネクタ
９８  記録媒体着脱検知部
１００  電子カメラ
１０２  バリア
１０４  光学ファインダー
１１０  通信回路
１１２  コネクタ（又はアンテナ）
２００  記録媒体
２０２  記録部
２０４  インターフェース
２０６  コネクタ
２１０  記録媒体
２１２  記録部
２１４  インターフェース
２１６  コネクタ
【図１】
2005223616.tif 000003
【図２】
2005223616.tif 000004
【図３】
2005223616.tif 000005
【図４】
2005223616.tif 000006
【図５】
2005223616.tif 000007